(57)【要約】【課題】外断熱工法の型枠兼用として建て込みができ、外装材などの支持強度や開口部などでの通気性を確保できる型枠兼用外断熱パネルおよびこれを用いた外断熱通気工法を提供すること。【解決手段】断熱ボード１１の開口部側となる側端に位置する縦通気溝１３を側端面１１ａまで開口させて縦連通溝３３を形成し、この断熱パネル１１の一部分および側端面１１ａに、この縦連通溝１３の側端面に開口する開口下端部３４ａまたは開口上端部を残して覆う開口側面用下地部材３４を配置した型枠兼用外断熱パネル１０Ｃを開口部側面に建て込み、開口部上下に型枠兼用外断熱パネル１０Ｂを組み合わせて建て込んで、断熱ボード１１の側端面１１ａおよび上端面１１ｂを開口下部用下地材３２と開口側面用下地部材３４で覆うとともに、パネル１０Ｃの縦連通溝１３を開口部上下のパネル１０Ｂの横連通溝３１，３１と連通させて開口部の両側へ通気させる。これにより、開口部によって通気溝が分断されず、開口部への外断熱通気工法を簡単に施工できる。【選択図】図３
2007285023.tif 000002
【特許請求の範囲】
【請求項１】
屋外側となる表面に上下方向に沿う縦通気溝が形成された硬質発泡プラスチックの断熱ボードと、
この断熱ボードの屋外側表面に設けられた外装下地材とからなり、
前記断熱ボードの前記縦通気溝の総横断面積を、当該断熱ボードの総横断面積の０．６〜１５％としたことを特徴とする型枠兼用外断熱パネル。
【請求項２】
前記外装下地材は、左右両端部に互いに逆方向の段差による連結目地部が形成され、この左右両端部のいずれか一方の連結目地部に弾性プラスチックの目地部材を設けて構成したことを特徴とする請求項１記載の型枠兼用外断熱パネル。
【請求項３】
前記断熱ボードの出隅端面から少なくともパネル厚さ以上の範囲の表面に連結用板部材を配置し、この連結用板部材と断熱ボードの端面とを覆う出隅用下地部材を配置し、出隅用下地部材と連結用板部材を連結固定するとともに、連結用板部材を打設されるコンクリート躯体にアンカー固定可能に配置してなり、出隅部に建て込み可能に構成したことを特徴とする請求項１または２記載の型枠兼用外断熱パネル。
【請求項４】
前記断熱ボードの上端面または下端面からの一部分に各縦通気溝を左右方向に連通させて側端まで開口する横連通溝を形成し、この横連通溝および断熱ボードの上端面または下端面を覆う開口部上下用下地部材を配置してなり、開口部上面または開口部下面に建て込み可能に構成したことを特徴とする請求項１または２記載の型枠兼用外断熱パネル。
【請求項５】
前記断熱ボードの開口側となる側端面からの一部分の少なくとも側端に位置する前記縦通気溝を側端面まで開口させて縦連通溝を形成し、この断熱パネルの一部分および側端面に、この縦連通溝の側端面に開口する開口下端部または開口上端部を残して覆う開口側面用下地部材を配置してなり、開口部側面に建て込み可能に構成したことを特徴とする請求項１または２記載の型枠兼用外断熱パネル。
【請求項６】
前記外装下地材、前記出隅用下地部材、前記開口部上下用下地材、前記開口側面用下地部材を、厚みが１０〜１６ｍｍ、透湿係数が１００〜４００ｎｇ／ｍ2ｓＰａ、比重が０．９〜１．１の繊維混合セメント板で構成したことを特徴とする請求項１〜５のいずれかに記載の型枠兼用外断熱パネル。
【請求項７】
前記請求項１〜６記載の前記型枠兼用外断熱パネルを組み合わせて前記縦通気溝、前記横連通溝、前記縦連通溝が互いに連通するように建て込んで開口部を有する外壁面を外断熱通気状態とすることを特徴とする型枠兼用外断熱パネルを用いた外断熱通気工法。
【発明の詳細な説明】
【技術分野】
【０００１】
この発明は、型枠兼用外断熱パネルおよびこれを用いた外断熱通気工法に関し、鉄筋コンクリートなどの建築物を、コンクリート打設用の型枠の建て込みと同時に外断熱施工ができるとともに、通気断熱施工ができるようにしたもので、特に建築物に窓などの開口部があっても通気状態を確保できるようにしたものである。
【背景技術】
【０００２】
従来、鉄筋コンクリート造の集合住宅やオフィスビルなどの建築物では、省エネルギーや快適居住のため外気と接する外壁部や屋根部などを断熱材で覆って断熱性を高める断熱施工が普及しつつある。
【０００３】
このようなコンクリート建築物の断熱施工には、壁面の内側に断熱材を設ける内断熱工法と、壁面の外側に断熱材を設ける外断熱工法とがあり、これまでは、内断熱工法が主流となっている。
【０００４】
このような内断熱工法における施工の効率化を図るため、断熱型枠パネルが開発されており（例えば、特許文献１参照）、硬質発泡プラスチックボードの室内側面に複数の縦桟木と横桟木を半埋め込み式で取り付けて構成されている。
【０００５】
そして、縦桟木と横桟木とが取り付けられた断熱型枠パネルを内型枠とし、打設空間を空けて外型枠を建て込み、コンクリートを打設した後、外型枠だけを取り外して内側の断熱型枠パネルをそのまま残して断熱材とし、縦桟木と横桟木を利用して内装下地材を設けて内装施工するようにしている。
【特許文献１】特開２０００−１９９２８８号公報
【発明の開示】
【発明が解決しようとする課題】
【０００６】
最近、建築物に対する断熱性能の向上が求められ、これまでの内断熱工法に代え、壁面の外側を断熱材で覆う外断熱工法が採用される傾向にある。
【０００７】
この外断熱工法でも、コンクリート打設用の型枠の建て込みと断熱材の取り付けとを同時にできる型枠兼用パネルの使用が求められる。
【０００８】
そこで、これまでの内断熱工法に用いられてきた断熱型枠パネルをそのまま使用することが考えられるが、次のような問題があり、そのまま転用することができない。
【０００９】
内断熱工法では、断熱型枠パネルの桟木を利用して内装下地材を取り付け、この内装下地材の上に壁紙などの内装材を接着するなどの内装施工が行われる。
【００１０】
これに対し、外断熱工法では、断熱型枠パネルの外側に外装下地材や外装材を取り付ける外装施工を行うが、外装材などは、内装下地材および内装材に比べ重量があり、大きな荷重を支持できるものでなければならない。
【００１１】
さらに、タイルや窯業系など外装材の材質によっては、内装材に比べて透湿性が低く外装材の内側に結露が生じ易く、またコンクリートからの水分が外装材の内側に放出されることから、内断熱工法に比べ、断熱型枠パネルと外装下地材や外装材との間の通気性を大幅に高める必要があり、特に開口部が形成される場合の上下の通気性の確保の問題がある。
【００１２】
この発明は、上記従来技術の問題点に鑑みてなされたもので、外断熱工法に適用して型枠兼用として建て込みができるとともに、外装材などの支持強度や開口部などでも通気性を確保することができる型枠兼用外断熱パネルおよびこれを用いた外断熱通気工法を提供しようとするものである。
【課題を解決するための手段】
【００１３】
上記従来技術の課題を解決するため、この発明の請求項１記載の型枠兼用外断熱パネルは、屋外側となる表面に上下方向に沿う縦通気溝が形成された硬質発泡プラスチックの断熱ボードと、この断熱ボードの屋外側表面に設けられた外装下地材とからなり、前記断熱ボードの前記縦通気溝の総横断面積を、当該断熱ボードの総横断面積の０．６〜１５％としたことを特徴とするものである。
【００１４】
また、この発明の請求項２記載の型枠兼用外断熱パネルは、請求項１記載の構成に加え、前記外装下地材は、左右両端部に互いに逆方向の段差による連結目地部が形成され、この左右両端部のいずれか一方の連結目地部に弾性プラスチックの目地部材を設けて構成したことを特徴とするものである。
【００１５】
さらに、この発明の請求項３記載の型枠兼用外断熱パネルは、請求項１または２記載の構成に加え、前記断熱ボードの出隅端面から少なくともパネル厚さ以上の範囲の表面に連結用板部材を配置し、この連結用板部材と断熱ボードの端面とを覆う出隅用下地部材を配置し、出隅用下地部材と連結用板部材を連結固定するとともに、連結用板部材を打設されるコンクリート躯体にアンカー固定可能に配置してなり、出隅部に建て込み可能に構成したことを特徴とするものである。
【００１６】
また、この発明の請求項４記載の型枠兼用外断熱パネルは、請求項１または２記載の構成に加え、前記断熱ボードの上端面または下端面からの一部分に各縦通気溝を左右方向に連通させて側端まで開口する横連通溝を形成し、この横連通溝および断熱ボードの上端面または下端面を覆う開口部上下用下地部材を配置してなり、開口部上面または開口部下面に建て込み可能に構成したことを特徴とするものである。
【００１７】
さらに、この発明の請求項５記載の型枠兼用外断熱パネルは、請求項１または２記載の構成に加え、前記断熱ボードの開口側となる側端面からの一部分の少なくとも側端に位置する前記縦通気溝を側端面まで開口させて縦連通溝を形成し、この断熱パネルの一部分および側端面に、この縦連通溝の側端面に開口する開口下端部または開口上端部を残して覆う開口側面用下地部材を配置してなり、開口部側面に建て込み可能に構成したことを特徴とするものである。
【００１８】
また、この発明の請求項６記載の型枠兼用外断熱パネルは、請求項１〜５のいずれかに記載の構成に加え、前記外装下地材、前記出隅用下地部材、前記開口部上下用下地材、前記開口側面用下地部材を、厚みが１０〜１６ｍｍ、透湿係数が１００〜４００ｎｇ／ｍ2ｓＰａ、比重が０．９〜１．１の繊維混合セメント板で構成したことを特徴とするものである。
【００１９】
さらに、この発明の請求項７記載の型枠兼用外断熱パネルを用いた外断熱通気工法は、前記請求項１〜６記載の前記型枠兼用外断熱パネルを組み合わせて前記縦通気溝、前記横連通溝、前記縦連通溝が互いに連通するように建て込んで開口部を有する外壁面を外断熱通気状態とすることを特徴とするものである。
【発明の効果】
【００２０】
この発明の請求項１記載の型枠兼用外断熱パネルによれば、屋外側となる表面に上下方向に沿う縦通気溝が形成された硬質発泡プラスチックの断熱ボードと、この断熱ボードの屋外側表面に設けられる外装下地材とからなり、前記断熱ボードの前記縦通気溝の総横断面積を、当該断熱ボードの総横断面積の０．６〜１５％としたので、この型枠兼用外断熱パネルを上下・左右に突き合わせて配置して建て込むことで、縦通気溝を左右に配置して上下に連通させることができるとともに、断熱ボードに形成する縦通気溝の総断面積を規定することで、断熱性と強度を確保すると同時に、縦通気溝による通気性を確保することができる。
【００２１】
これにより、この型枠兼用外断熱パネルを用いることで、平面部などへの外断熱通気工法を簡単に施工することができる。
【００２２】
また、この発明の請求項２記載の型枠兼用外断熱パネルによれば、前記外装下地材は、左右両端部に互いに逆方向の段差による連結目地部が形成され、この左右両端部のいずれか一方の連結目地部に弾性プラスチックの目地部材を設けて構成したので、この型枠兼用外断熱パネルを左右両端部の連結目地部の段差を互いに重ね合わせるように左右に配置することで、左右の段差の連結目地部によってパネルの位置合わせが容易にできるとともに、打設されるコンクリートののろの漏出を弾性プラスチックの目地部材で防止することができ、外装材などの施工をのろの除去などの準備をすることなく簡単に行うことができる。
【００２３】
さらに、この発明の請求項３記載の型枠兼用外断熱パネルによれば、前記断熱ボードの出隅端面から少なくともパネル厚さ以上の範囲の表面に連結用板部材を配置し、この連結用板部材と断熱ボードの端面とを覆う出隅用下地部材を配置し、出隅用下地部材と連結用板部材を連結固定するとともに、連結用板部材を打設されるコンクリート躯体にアンカー固定可能に配置してなり、出隅部に建て込み可能に構成したので、この型枠兼用外断熱パネルを出隅部の一方として建て込むことで、断熱ボードの端面を出隅用下地部材で覆って露出することを防止できるとともに、連結用板部材を介して固定することで他方のアンカーと干渉することなくアンカーを設置することができる。
【００２４】
これにより、この型枠兼用外断熱パネルを用いることで、出隅部への外断熱通気工法を簡単に施工することができる。
【００２５】
また、この発明の請求項４記載の型枠兼用外断熱パネルによれば、前記断熱ボードの上端面または下端面からの一部分に各縦通気溝を左右方向に連通させて側端まで開口する横連通溝を形成し、この横連通溝および断熱ボードの上端面または下端面を覆う開口部上下用下地部材を配置してなり、開口部上面または開口部下面に建て込み可能に構成したので、この型枠兼用外断熱パネルを開口部上面または開口部下面に建て込むことで、断熱ボードの上端面または下端面を開口部上下用下地部材で覆って露出することを防止できるとともに、上端部または下端部の各縦通気溝を連通させた横連通溝の側端の開口から開口部の両側などに通気させることができ、開口部によって縦通気溝が分断されることを防止することができる。
【００２６】
これにより、この型枠兼用外断熱パネルを用いることで、開口部の上下面への外断熱通気工法を簡単に施工することができる。
【００２７】
さらに、この発明の請求項５記載の型枠兼用外断熱パネルによれば、前記断熱ボードの開口部側となる側端面からの一部分の少なくとも側端に位置する前記縦通気溝を側端面まで開口させて縦連通溝を形成し、この断熱パネルの一部分および側端面に、この縦連通溝の側端面に開口する開口下端部または開口上端部を残して覆う開口側面用下地部材を配置してなり、開口部側面に建て込み可能に構成したので、この型枠兼用外断熱パネルを開口部側面に建て込むことで、断熱ボードの側端面を開口側面用下地部材で覆って露出することを防止できるとともに、このパネルの縦連通溝を開口部上下のパネルの横連通溝と連通させることで開口部の両側などに通気させることができ、開口部によって通気溝が分断されることを防止することができる。
【００２８】
これにより、この型枠兼用外断熱パネルを用いることで、開口部の両側面への外断熱通気工法を簡単に施工することができる。
【００２９】
また、この発明の請求項６記載の型枠兼用外断熱パネルによれば、前記外装下地材、前記出隅用下地部材、前記開口部上下用下地材、前記開口側面用下地部材を、厚みが１０〜１６ｍｍ、透湿係数が１００〜４００ｎｇ／ｍ2ｓＰａ、比重が０．９〜１．１の繊維混合セメント板で構成したので、外装などの下地材として必要な強度を確保すると同時に、軽量化を図ることができる。
【００３０】
これにより、この型枠兼用外断熱パネルを用いることで、施工作業の負担を軽減し、外断熱通気工法を簡単に施工することができる。
【００３１】
さらに、この発明の請求項７記載の型枠兼用外断熱パネルを用いた外断熱通気工法によれば、前記請求項１〜６記載の前記型枠兼用外断熱パネルを組み合わせて前記縦通気溝、前記横連通溝、前記縦連通溝が互いに連通するように建て込んで開口部を有する外壁面を外断熱通気状態とするようにしたので、コンクリート構造物の形状や開口にかかわらず、簡単に外断熱通気工法を施工することができる。
【発明を実施するための最良の形態】
【００３２】
以下、この発明の実施の形態について図面を参照して詳細に説明する。  
図１〜図５は、この発明の型枠兼用外断熱パネルおよびこれを用いた外断パネル通気工法の一実施の形態にかかり、図１は平面部への建て込み用の枠兼用外断熱パネルの斜視図および正面図、図２は出隅部への建て込み用の枠兼用外断熱パネルの斜視図および平面図、図３は開口部下面および開口部側面への建て込み状態の斜視図、図４は開口部下面への建て込み用の枠兼用外断熱パネルの斜視図および側面図、図５は開口部側面への建て込み用の枠兼用外断熱パネルの斜視図および側面図ある。
【００３３】
この型枠兼用外断熱パネルは、コンクリート建築物の外断熱用の型枠兼用の外断熱パネルであり、外型枠として内型枠と組み立てコンクリートを打設した後そのまま残すことで、コンクリートの外壁面に外装下地材および断熱ボードを取り付けた状態とするもので、外装下地材と外断熱ボードとの間に上下方向の通気溝を形成するもので、特に窓などの開口部があっても上下方向の通気溝を連通させて形成するものである。
【００３４】
すなわち、この型枠兼用外断熱パネル１０は、例えば図１に示すように、硬質発泡プラスチックの断熱ボード１１と、この硬質発泡プラスチックの断熱ボード１１の屋外側に設けられる外装下地材１２とを備え、断熱ボード１１の屋外側の表面に上下方向に沿う縦通気溝１３が形成され、外装下地材１２の左右両端部には、連結目地部１４が互いに逆方向の段差として形成され、連結目地部１４の一方に弾性プラスチックの目地部材１５が設けられて構成されている。
【００３５】
この型枠兼用外断熱パネル１０を構成する硬質発泡プラスチックの断熱ボード１１は、断熱効果の高い熱可塑性樹脂や熱硬化性樹脂素材で形成された発泡プラスチックのボードで、例えばポリスチレンフォーム、ポリウレタンフォーム、ポリエチレンフォーム、ポリプロピレンフォーム、フェノールフォームなどが用いられる。
【００３６】
なかでも硬質発泡プラスチックの断熱ボード１１としては、外断熱工法としてコンクリートの外面に取り付けられることから、コンクリートに含まれる湿度分を透過させることができる、透湿性に優れたものが好ましく、金型成形により縦通気溝１３の溝加工が容易な硬質ポリスチレンフォームのビーズ法によるものが好ましい。
【００３７】
このビーズ法の硬質ポリスチレンフォームは、水は通さないが、水蒸気（湿度分）は通し、その透湿係数は、１００〜３００ｎｇ／ｍ２ｓＰａ程度であり、コンクリートの透湿係数が１５〜３０ｎｇ／ｍ２ｓＰａであるのに比べ、透湿性に優れる。
【００３８】
この硬質発泡プラスチックの断熱ボード１１としては、密度が２０ｋｇ／ｍ3以上のものが熱伝導率の点で好ましく、より好ましくは密度が２７ｋｇ／ｍ3以上のものであり、厚さは３０〜６０ｍｍ以上必要であり、好ましくは次世代省エネの点から厚さは４０〜６０ｍｍ以上必要である。
【００３９】
このような硬質発泡プラスチックの断熱ボード１１には、屋外側となる表面に建て込んだ状態で上下方向に沿う縦通気溝１３が複数本形成してあり、この縦通気溝１３によって外装下地材１２との接着面積が変化し、これによって接着強度が変化することになる。
【００４０】
この接着強度は、例えば断熱ボード１１としてビーズ法発泡スチレンボードを用い、外装下地材１２として繊維混合無機板を用いる場合、断熱ボード１１の密度により多少異なるが、平均３．０ｋｇ／ｃｍ2の接着強度を確保することができる。一方、この型枠兼用外断熱パネル１０には、風圧力、地震時の垂直応力あるいは水平応力、外装材の重量などが加わることから、安全率を考慮して少なくとも１０００ｋｇ／ｍ2の荷重強度が必要となる。さらに、コンクリート打設時の側圧は、６ｔｏｎ／ｍ2程度加わる。
【００４１】
そこで、断熱ボード１１としてのビーズ法発泡スチレンボードと、外装下地材１２としての繊維混合無機板とを接着した型枠兼用外断熱パネル１０では、接着した構造体としての曲げ弾性が重要であるから、たわみを１．０ｍｍ以下にするには、縦通気溝１３以外の有効接着面積を、約３３％以下にすることはできないことになる。
【００４２】
したがって、この型枠兼用外断熱パネル１０では、その幅を、例えば９１０ｍｍとすると、幅方向の非接着長さは、３００ｍｍとなり、縦通気溝１３の１本の溝幅を４０ｍｍとすれば、７本、１本の溝幅を３０ｍｍとすれば、１０本形成できることになるが、１本の溝幅が１００ｍｍ程度まで大きくすると、コンクリートの側圧に対する強度が低下する。
【００４３】
縦通気溝１３の深さについては、溝深さが大きくなると、縦通気溝１３部分の断熱効果が小さくなり、しかもコンクリートの側圧に対する強度も低下する。一方、縦通気溝１３で建物の下部から上部まで通気できるようにするためには、少なくとも１５ｍｍ以上１８ｍｍの溝深さは必要であり、好ましくは溝深さを２０ｍｍ以上とする。
【００４４】
このような型枠兼用外断熱パネル１０では、断熱ボード１１の有効接着面積として幅方向の非接着長さを３００ｍｍとし、縦通気溝１３の溝深さを２０ｍｍとすれば、断熱ボード１１の厚さを５０ｍｍとした場合には、縦通気溝１３の総横断面積は、断熱ボード１１の総横断面積の１３．２％となり、同様に、厚さ６０ｍｍでは、１１．０％、厚さ１００ｍｍでは、０．７％となる。
【００４５】
したがって、この型枠兼用外断熱パネル１０では、断熱ボード１１の縦通気溝１３の総横断面積を、断熱ボード１１の総横断面積の０．６〜１５％とすることで、断熱性、打設コンクリートに対する側圧強度、縦通気溝１３による通気性、外装下地材１２との接着強度のいずれも確保することができ、さらに好ましくは断熱ボード１１の縦通気溝１３の総横断面積を、断熱ボード１１の総横断面積の０．７〜１３．２％とすれば良い。
【００４６】
次に、この型枠兼用外断熱パネル１０の外装下地材１２は、硬質発泡プラスチックの断熱ボード１１の屋外側に設けられることから、内側の断熱ボード１１に対して外側に取り付けられる外装下地材１２や外装材の透湿係数が外側ほど大きくなる素材とすることが好ましい。
【００４７】
外装下地材として使用可能な市販の多くのパネルは、透湿係数がビーズ法のポリスチレンフォームより小さいことから、少なくとも透湿係数が１００ｎｇ／ｍ２ｓＰａ以上（５００ｎｇ／ｍ２ｓＰａ以下）のものを選択するのが良く、好ましくは２００ｎｇ／ｍ２ｓＰａ以上のものが好ましい。
【００４８】
一方、外装材との関系から、例えば外装用の塗装材の透湿係数としては５００ｎｇ／ｍ２ｓＰａ程度のものが多く、外装下地材の透湿係数は、５００ｎｇ／ｍ２ｓＰａ以下、好ましくは４００ｎｇ／ｍ２ｓＰａ以下のものが好ましい。
【００４９】
したがって、この型枠兼用外断熱パネル１０と組み合わせて使用する外装下地材１２は、その透湿係数が、２００〜４００ｎｇ／ｍ２ｓＰａ程度のものが好ましく、例えば外装下地材１２として軽量モルタル板（透湿係数：２４３ｎｇ／ｍ２ｓＰａ）を、外装材として塗装材（透湿係数：５００ｎｇ／ｍ２ｓＰａ）を使用すれば良い。
【００５０】
また、外装下地材１２としては、外断熱施工のための建て込み作業を考慮すると、クレーンを使用せずに建て込める範囲にすることが好ましい。例えば幅が９１０ｍｍで、長さが３０３０ｍｍの大きさとした場合、厚みを１２ｍｍとし、比重を０．９とした場合の重量は２９．８ｋｇであり、比重を１．１とした場合の重量は３６．４ｋｇとなる。さらに、厚みを１６ｍｍとし、比重を０．９とした場合の重量は、３９．７ｋｇであり、比重を１．１とした場合の重量は４８．５ｋｇとなる。一方、クレーンを使用せずに２人で簡単に運搬施工できる範囲としては、３５ｋｇ程度とすることが好ましい。
【００５１】
これらの点を考慮すると、外装下地材１２としては、厚みが１０〜１６ｍｍ、比重が０．９〜１．１の無機板、例えば軽量モルタル板や繊維混合セメント板を使用すれば良い。
【００５２】
さらに、この外装下地材１２には、その左右両端部に互いに逆方向の段差による連結目地部１４が設けてある。この連結目地部１４は、厚さ方向の中央上部を切り欠いた段差１４ａ（図１中の右側参照）と厚さ方向の中央下部を切り欠いた段差１４ｂ（図１中の左側参照）とで構成され、断熱ボード１１に接着した状態で、一方の段差、図示例では段差１４ｂが幅方向に突き出した状態としてある。
【００５３】
したがって、これら２つの段差１４ａ，１４ｂを重ね合わせるようにした連結目地部１４では、外装下地材１２の表面が面一状態となるとともに、Ｌ字状の接触面が形成される。これによって、目地部分から、打設されるコンクリートののろの漏洩を防止できる。
【００５４】
さらに、この外装下地材１２では、一方の段差１４ａの上面に目地部材１５が取り付けてあり、例えば弾性プラスチックで棒状のシール材が取り付けられ、上下の段差１４ａ，１４ｂで押し潰すようにして外装下地材１２に防水性と伸縮性を有するシーリングとして機能するようにしてある。
【００５５】
このような連結目地部１４を段差１４ａ，１４ｂで構成することで、型枠兼用外断熱パネル１０の建て込みが段差１４ａ，１４ｂを重ねるようにするだけで簡単にでき、しかも目地部材１５によってのろや雨水などに対するシーリング効果を得ることができる。
【００５６】
このような外装下地材１２が硬質発泡プラスチックの断熱ボード１１の縦通気溝１３を塞ぐように屋外側表面に配置されて接着されて型枠兼用外断熱パネル１０が構成される。
【００５７】
このような型枠兼用外断熱パネル１０は、通常の外型枠と同様に、外壁の平面部となる部分に連結目地部１４を介して左右に連結するとともに、上下には、突き合わせて縦通気溝１３同士が連通するように建て込まれ、外断熱通気工法が施工される。
【００５８】
この型枠兼用外断熱パネル１０の建て込みは、例えば一回のコンクリートの打設高さに必要な型枠兼用外断熱パネル１０を建て込み、連結目地部１４に沿って縦端材として角鋼管や角桟木などを配置して横端材で押えるようにして、型枠兼用外断熱パネル１０同士の目地部から、打設されるコンクリートののろの漏洩を防止するようにすることが好ましい。そして、型枠兼用外断熱パネル１０の縦端材をこれまでのコンクリート打設用の型枠の建て込みと同様に、水平に配置される横端材としての２本の単管とフォームタイで支持する一方、型枠兼用外断熱パネル１０と打設空間を空けて内型枠を配置し、間隔をセパレータおよび断熱コーンで支持するとともに、内型枠の外側に縦端材と横端材としての２本の単管とフォームタイを配置し、内外のフォームタイ同士を軸足を介して連結して固定する。
【００５９】
さらに、型枠兼用外断熱パネル１０の外装下地材１２の外側から硬質発泡プラスチックの断熱ボード１１を貫通させてアンカー部材を打設空間に突き出すように多数（必要本数）取り付けておく。
【００６０】
このアンカー部材としては、インサートねじを備えるもののほか、単なるねじ状のものなどコンクリートへの取付強度を確保できるものであればどのような形状のものでも良く、特に熱伝導率の小さい素材のものであることが断熱性能を確保するために好ましい。
【００６１】
こうして、型枠兼用外断熱パネル１０を屋外側に配置し、内型枠を建て込んだ後、コンクリートを打設し、コンクリートを固化・養生し、必要高さまでの型枠兼用外断熱パネル１０の建て込みとコンクリートの打設を繰り返す。これらと並行し、あるいはその後、外装下地材１２の屋外側の表面に外装材を施工するようにする。
【００６２】
このような型枠兼用外断熱パネル１０によれば、型枠兼用外断熱パネル１０を左右両端部の連結目地部１４の段差１４ａ，１４ｂを互いに重ね合わせるように左右に配置するとともに、型枠兼用外断熱パネル１０同士を上下に突き合わせて平面部に建て込むことで、縦通気溝１３を左右に配置し、しかも上下に連通させることができる。
【００６３】
また、左右の段差１４ａ、１４ｂの連結目地部１４によって型枠兼用外断熱パネル１０の位置合わせが容易にできるとともに、打設されるコンクリートののろの漏出を弾性プラスチックの目地部材１５で防止することができ、外装材などの施工をのろの除去などの準備をすることなく簡単に行うことができる。
【００６４】
これにより、この型枠兼用外断熱パネル１０を用いることで、外壁の平面部への外断熱通気工法を簡単に施工することができる。
【００６５】
次に、この発明の他の一実施の形態について、図２に基づいて説明するが、すでに説明した型枠兼用外断熱パネル１０と同一部分には、同一記号を記し、説明は省略する。
【００６６】
この型枠兼用外断熱パネル１０Ａは、すでに説明した型枠兼用外断熱パネル１０と組み合わせて直角な出隅部を構築するためのもので、断熱ボード１１の端面１１ａが露出しないようにするとともに、直交するパネル同士のアンカー部材２３，２３が干渉せずに施工できるようにしたものである。
【００６７】
この型枠兼用外断熱パネル１０Ａでは、硬質発泡プラスチックの断熱ボード１１の出隅部に配置される端面１１ａから型枠兼用外断熱パネル１０でのパネル厚さ以上の範囲が露出した状態とされ、この断熱ボード１１の端面１１ａおよび断熱ボード１１の厚さに相当する部分との直角な表面に出隅用下地材２１が設けられる。
【００６８】
この出隅用下地材２１は、例えば外装下地材１２と同一仕様のものが用いられ、出隅用下地材１２として厚みが１０〜１６ｍｍ、比重が０．９〜１．１の無機板、例えば軽量モルタル板や繊維混合セメント板を直角に成形したものが使用される。
【００６９】
この出隅用下地材２１を打設されるコンクリート躯体にアンカー部材２３で固定しようとすると、直交する他方のパネル１０と干渉し、設置することができない。
【００７０】
そこで、この型枠兼用外断熱パネル１０Ａでは、断熱ボード１１の出隅側の表面部分に連結用板部材２２が配置され、連結用板部材２２の端部が出隅用下地材２１の外側に突き出すようになっており、この連結用板部材２２の突出部２２ａにアンカー部材２３を取り付けることができるようにしてある。この連結用板部材２２は、金属板や合成樹脂板などで構成され、予め出隅用下地材２１とは、内側からビス２４で固定されるとともに、断熱ボード１１と弾性接着剤で接着固定される。なお、この連結用板部材２２は、例えば厚さ２．３ｍｍのステンレス板が用いられ、型枠兼用外断熱パネル１０Ａの上下方向に連続する一枚としたり、アンカー部材２３およびビス２４の取り付けピッチに応じて上下方向に分割した複数枚として設置するようにしても良く、作業性の点からは１枚とするものが好ましく、断熱性の点からは分割したものが好ましい。
【００７１】
このような連結用板部材２２の突出部２２ａの側方には、アンカー部材２３の打ち込みようの間隔をあけて外装下地材１２が、型枠兼用外断熱パネル１０と同様に、設けられる。
【００７２】
このように構成した型枠兼用外断熱パネル１０Ａは、出隅部に配置されて型枠兼用外断熱パネル１０と直角に突き合わせて使用され、平面部への建て込みと同様に打設空間を空けて内型枠とともに設置されて使用される。
【００７３】
このような型枠兼用外断熱パネル１０Ａによれば、断熱ボード１１の出隅端面１１ａから少なくともパネル１０，１０Ａの厚さ以上の範囲の表面に連結用板部材２２を配置し、この連結用板部材２２と断熱ボード１１の端面とを覆う出隅用下地部材２１を配置し、出隅用下地部材２１と連結用板部材２２をビス２４で連結固定するとともに、連結用板部材２２の突出部２２ａを打設されるコンクリート躯体にアンカー部材２３で固定するようにしたので、これまでと同様にして出隅部に建て込むことが可能となり、この型枠兼用外断熱パネル１０Ａを出隅部の一方として建て込むことで、断熱ボード１１の端面１１ａを出隅用下地部材２１で覆って露出することを防止できるとともに、連結用板部材２２を介して固定することで他方のアンカー部材２３と干渉することなくアンカー部材２３を設置することができる。また、出隅部用下地部材２１をコンクリート躯体に固定でき、他の部分の外装下地材１２と同様に重量のある外装材の施工も可能となる。
【００７４】
これにより、この型枠兼用外断熱パネル１０Ａを用いることで、出隅部への外断熱通気工法を簡単に施工することができる。
【００７５】
なお、出隅用下地材２１の端面側の端部には、図２（ｂ）に示すように、連結用目地部１４を構成する段差１４ｂを設けるようにすれば、目地部材と共働して打設されるコンクリートののろの漏洩を有効に防止することができるが、図２（ａ）に示すように、段差を省略して構造を簡素化し、建て込みの際にジョイナーなどを使用してのろの漏出を防止するようにすることもできる。また、上記実施の形態の図２（ｂ）では、断熱ボード１１の縦通気溝１３の一部を省略したが、連結用板部材２２が取り付けられる部分にも形成するようにしても良い。
【００７６】
次に、この発明のさらに他の一実施の形態について、図３〜図５に基づいて説明するが、すでに説明した型枠兼用外断熱パネル１０，１０Ａと同一部分には、同一記号を記し、説明は省略する。
【００７７】
この実施の形態では、外壁部に窓などの開口部を設ける場合に開口部の上下で縦通気溝１３が塞がれて通気できなくなることを防止するためのもので、開口部上下用の型枠兼用外断熱パネル１０Ｂと開口部側面用の型枠兼用外断熱パネル１０Ｃとを組み合わせて使用するもので、断熱ボード１１の上下面１１ｂや側端面１１ａの露出も防止できるようにしたものである。
【００７８】
開口部上下用の型枠兼用外断熱パネル１０Ｂは、上部または下部の構造が異なる以外は同一構造であるので、ここでは、図３および図４に示す開口下部用のものについて説明する。
【００７９】
この開口下部に配置される型枠兼用外断熱パネル１０Ｂは、外壁部に形成される開口部の幅に対応した幅あるいは開口部の幅よりも狭い幅のパネルとされ、硬質発泡プラスチックの断熱ボード１１の屋外側の表面の上下方向に形成された縦通気溝１３をそれぞれ左右方向に連通させる横連通溝３１が断熱ボード１１の上端面１１ｂから所定の上下幅で形成してあり、横連通溝３１の両端が断熱ボード１１の側端面１１ａまで開口するように設けてある。この横連通溝３１の溝の表裏深さは、縦通気溝１３と同一とされ、溝の所定の上下幅は、パネルの幅により異なるが、パネル１０Ｂを開口下部に配置した場合に上端が塞がれる縦通気溝１３の本数を考慮して十分な通気ができるように定められ、上下方向の各縦通気溝１３から左右方向の横連通溝３１を介して左右両側への通気を確保できるように定めてある。
【００８０】
そして、この開口下部に配置される型枠兼用外断熱パネル１０Ｂでは、硬質発泡プラスチックの断熱ボード１１の上端面１１ｂおよび横連通溝３１を覆うように開口下部用下地材３２が設けてあり、断熱ボード１１が露出しないようにしてある。
【００８１】
この開口下部用下地材３２は、例えば外装下地材１２や出隅用下地材２１と同一仕様のものが用いられ、開口下部用下地材３２として厚みが１０〜１６ｍｍ、比重が０．９〜１．１の無機板、例えば軽量モルタル板や繊維混合セメント板を直角に成形したものが使用される。
【００８２】
なお、この開口下部用下地材３２を出隅用下地材２１と同一断面形状とし、長さだけを変えたものを用意するようにすれば、一層簡単に出隅用の型枠兼用外断熱パネル１０Ａや開口上下用の型枠兼用外断熱パネル１０Ｂを製造することができる。
【００８３】
そして、この型枠兼用外断熱パネル１０Ｂでは、断熱ボード１１の開口下部用下地材３２で覆われる以外の表面部分に、外装下地材１２が取り付けてある。
【００８４】
なお、開口上部用の型枠兼用外断熱パネル１０Ｂは、横連通溝３１が、断熱ボード１１の下部表面に左右方向に沿って形成され、下端面と下部表面が開口上部用下地材で覆われて構成され、開口下部用のものを上下反転したものと同一構造である。
【００８５】
次に、開口側面用の型枠兼用外断熱パネル１０Ｃについて、図３および図５により説明する。  
この開口部側面に配置される型枠兼用外断熱パネル１０Ｃは、硬質発泡プラスチックの断熱ボード１１の屋外側の表面の開口部側面側（ソクメンガワ）の１本の縦通気溝１３と連通する縦連通溝３３が断熱ボード１１の側端面１１ａまで開口するように設けてあり、左右方向に広幅の縦溝としてある。この縦連通溝３３の溝の表裏深さは、縦通気溝１３と同一とされ、溝の左右幅は、開口部上下用の型枠兼用外断熱パネル１０Ｂの横連通溝３１と連通させた状態で上方に十分な通気ができるように定められ、最側端の縦通気溝１３を側端側（ソクタンガワ）に広げるように縦連通溝３３を形成する場合に限らず、通気量によっては逆側に広げることも組み合わせるように縦連通溝３３を形成する。
【００８６】
そして、この開口部側面に配置される型枠兼用外断熱パネル１０Ｃでは、硬質発泡プラスチックの断熱ボード１１の開口部側の側端面１１ａおよび縦連通溝３３を覆うように開口部側面用下地材３４を設け、断熱ボード１１が露出しないようにしてあり、開口部を構成する開口上下用の型枠兼用外断熱パネル１０Ｂと当接させる上端部または下端部の開口部側端面側（ソクタンメンガワ）が切り欠かれて切り欠き部３４ａとしてある。
【００８７】
この開口部側面用下地材３４は、例えば外装下地材１２、出隅用下地材２１、開口部上下用下地材３２と同一仕様のものが用いられ、開口部側面用下地材３４として厚みが１０〜１６ｍｍ、比重が０．９〜１．１の無機板、例えば軽量モルタル板や繊維混合セメント板を直角に成形したものが使用される。
【００８８】
なお、この開口部側面用下地材３４を出隅用下地材２１と同一断面形状とし、長さだけを変えたものを用意して切り欠き部３４ａを形成するようにすれば、一層簡単に出隅用の型枠兼用外断熱パネル１０Ａや開口上下用の型枠兼用外断熱パネル１０Ｂに加え、この開口部側面用の型枠兼用外断熱パネル１０Ｃを製造することができる。
【００８９】
そして、この型枠兼用外断熱パネル１０Ｃでは、断熱ボード１１の開口部側面用下地材３４で覆われる以外の表面部分に、外装下地材１２が取り付けてある。
【００９０】
このように構成した型枠兼用外断熱パネル１０Ｂ，１０Ｃは、例えば、開口部の左下隅部では、図３に示すように、開口部の側面に配置した開口部側面用の型枠兼用外断熱パネル１０Ｃの切り欠き部３４ａに開口下部用の型枠兼用外断熱パネル１０Ｂの開口部上下用下地材３２を直角に当接させて建て込み、同様にして開口部の上下・左右への建て込みを行うとともに、打設空間を空けて内型枠を平面部などと同様に設置して使用される。
【００９１】
このような型枠兼用外断熱パネル１０Ｂ，１０Ｃを組み合わせて開口部を構築することで、開口下部のパネル１０Ｂの複数の縦通気溝１３が上端の横連通溝３１を介して連通されており、この横連通溝３１の両端部が開口部両側のパネル１０Ｃの縦連通溝３３とそれぞれ連通されるとともに、開口上部でもパネル１０Ｂの下端の横連通溝３１を介して複数の縦連通溝１３が連通されるので、開口部が存在するにもかかわらず、開口部を回り込むようにして上下方向の通気を確保することができる。
【００９２】
また、これら型枠兼用外断熱パネル１０Ｂ，１０Ｃによれば、開口部の上下・左右の外断熱ボード１１の端面が開口部上下用下地材３２および開口部側面用下地材３４で覆われて露出することがなく、開口部への外断熱ボードの取り付けおよび外装下地材の施工が外型枠の建て込みと同時に簡単にできる。
【００９３】
さらに、この型枠兼用外断熱パネル１０Ｂによれば、断熱ボード１１の上端面１１ｂまたは下端面１１ｂからの一部分に各縦通気溝１３を左右方向に連通させて側端１１ａまで開口する横連通溝３１を形成し、この横連通溝３１および断熱ボード１１の上端面１１ｂまたは下端面１１ｂを覆う開口部上下用下地部材３２を配置してなり、開口部上面または開口部下面に建て込み可能に構成したので、この型枠兼用外断熱パネル１０ｂを開口部上面または開口部下面に建て込むことで、断熱ボード１１の上端面１１ｂまたは下端面１１ｂを開口部上下用下地部材３２で覆って露出することを防止できるとともに、上端部または下端部の各縦通気溝１３を連通させた横連通溝３１の側端の開口から開口部の両側などに通気させることができ、開口部によって縦通気溝１３が分断されることを防止することができる。
【００９４】
これにより、この型枠兼用外断熱パネル１０Ｂを用いることで、開口部の上下面への外断熱通気工法を簡単に施工することができる。
【００９５】
また、この型枠兼用外断熱パネル１０Ｃによれば、断熱ボード１１の開口部側となる側端面１１ａからの一部分の少なくとも側端に位置する縦通気溝１３を側端面１１ａまで開口させて縦連通溝３３を形成し、この断熱パネル１１の一部分および側端面１１ａに、この縦連通溝１３の側端面に開口する開口下端部３４ａまたは開口上端部を残して覆う開口側面用下地部材３４を配置してなり、開口部側面に建て込み可能に構成したので、この型枠兼用外断熱パネル１０Ｃを開口部側面に建て込むことで、断熱ボード１１の側端面１１ａを開口側面用下地部材３４で覆って露出することを防止できるとともに、このパネル１０Ｃの縦連通溝１３を開口部上下のパネル１０Ｂの横連通溝３１，３１と連通させることで開口部の両側などに通気させることができ、開口部によって通気溝が分断されることを防止することができる。
【００９６】
これにより、この型枠兼用外断熱パネル１０Ｃを用いることで、開口部の両側面への外断熱通気工法を簡単に施工することができる。
【００９７】
なお、上記実施の形態では、開口部用の型枠兼用外断熱パネル１０Ｂ、１０Ｃでは、連結目地部の段差を省略したが、パネル同士を連結する部分に設けることで、打設されるコンクリートののろなどの漏洩を防止することができる。
【図面の簡単な説明】
【００９８】
【図１】この発明の型枠兼用外断熱パネルおよびこれを用いた外断ネル通気工法の一実施の形態にかかる平面部への建て込み用の枠兼用外断熱パネルの斜視図および正面図である。
【図２】この発明の型枠兼用外断熱パネルおよびこれを用いた外断ネル通気工法の一実施の形態にかかる出隅部への建て込み用の枠兼用外断熱パネルの斜視図および平面図である。
【図３】この発明の型枠兼用外断熱パネルおよびこれを用いた外断ネル通気工法の一実施の形態にかかる開口部下面および開口部側面への建て込み状態の斜視図である。
【図４】この発明の型枠兼用外断熱パネルおよびこれを用いた外断ネル通気工法の一実施の形態にかかる開口部下面への建て込み用の枠兼用外断熱パネルの斜視図および側面図である。
【図５】この発明の型枠兼用外断熱パネルおよびこれを用いた外断ネル通気工法の一実施の形態にかかる開口部側面への建て込み用の枠兼用外断熱パネルの斜視図および側面図ある。
【符号の説明】
【００９９】
１０，１０Ａ、１０Ｂ，１０Ｃ    型枠兼用外断熱パネル
１１                            硬質発泡プラスチックの断熱ボード
１１ａ                          側端面
１１ｂ                          上端面（下端面）
１２                            外装下地材
１３                            縦通気溝
１４                            連結目地部
１４ａ，１４ｂ                  段差
１５                            目地部材
２１                            出隅用下地材
２２                            連結用板部材
２２ａ                          突出部
２３                            アンカー部材
２４                            ビス
３１                            横連通溝
３２                            開口部上下用下地材
３３                            縦連通溝
３４                            開口部側面用下地材
３４ａ                          切り欠き部
【図１】
2007285023.tif 000003
【図２】
2007285023.tif 000004
【図３】
2007285023.tif 000005
【図４】
2007285023.tif 000006
【図５】
2007285023.tif 000007